(57)【要約】  本発明は、展開可能な浸出パケット（１、５）に関し、浸出パケットは、水が存在しない場合には持続的圧縮状態にあり、水の存在下で展開状態に変換される。
2019504803.tif 000002
【特許請求の範囲】
【請求項１】
浸出パケットが、水が存在しない場合には持続的圧縮状態にあり、水の存在下で展開状態に変換される、展開可能な浸出パケット。
【請求項２】
浸出パケットが、持続的圧縮状態において体積ＶＣを有し、展開状態において体積ＶＥを有し、ＶＥが２ＶＣから１０ＶＣである、請求項１に記載の展開可能な浸出パケット。
【請求項３】
浸出パケットが、その持続的圧縮状態において第１の幾何学的形状を有し、その展開状態において第２の幾何学的形状を有し、第１および第２の幾何学的形状が異なる、請求項１または２に記載の展開可能な浸出パケット。
【請求項４】
第１の幾何学的形状が円柱である、請求項３に記載の展開可能な浸出パケット。
【請求項５】
第１の幾何学的形状が角柱である、請求項３に記載の展開可能な浸出パケット。
【請求項６】
第２の幾何学的形状が、球、半球、四面体またはピラミッドである、請求項３から５の何れか一項に記載の展開可能な浸出パケット。
【請求項７】
浸出パケットが、不織布材料から作られている、請求項１から６の何れか一項に記載の展開可能な浸出パケット。
【請求項８】
請求項１から７の何れか一項に記載の展開可能な浸出パケットを複数含むパッケージ。
【請求項９】
チューブまたはカートンである、請求項８に記載のパッケージ。
【請求項１０】
パッケージがチューブであり、第１の幾何学的形状が円柱である、請求項９に記載のパッケージ。
【請求項１１】
パッケージがカートンであり、第１の幾何学的形状が正方形または長方形の角柱である、請求項９に記載のパッケージ。
【請求項１２】
パッケージがカートンであり、第１の幾何学的形状が円柱である、請求項９に記載のパッケージ。
【請求項１３】
（ａ）展開状態の浸出パケットを提供するステップ、
（ｂ）浸出パケットをダイ内に挿入するステップ、
（ｃ）浸出パケットを持続的圧縮状態に変換するように加圧するステップ、を含む、請求項１から７の何れか一項に記載の展開可能な浸出パケットの製造方法。
【請求項１４】
ステップ（ｃ）において与えられる圧力が、３０００から４２００ｋＰａである、請求項１３に記載の方法。
【請求項１５】
浸出パケットが、水が存在しない場合には持続的圧縮状態にあり、水の存在下では展開状態に変換される、以下のステップを含む方法によって得ることができる、展開可能な浸出パケット：
（ａ）展開状態の浸出パケットを提供するステップ、
（ｂ）浸出パケットをダイ内に挿入するステップ、
（ｃ）浸出パケットを持続的圧縮状態に変換するように加圧するステップ。
【発明の詳細な説明】
【技術分野】
【０００１】
本発明は、浸出パケットに関する。より詳細には、本発明は、水中に浸漬する際に展開して三次元形状を取る浸出パケット（ティーバッグなど）に関する。
【背景技術】
【０００２】
長年の間、浸出パケット（例えば、ティーバッグ）は、典型的には平坦であり、シート間に挟まれた浸出可能材料（例えば、茶葉）を有する多孔質フィルター材料の正方形または円形のシートとして主に利用可能であった。そのようなパケットは、浸出パケット中の浸出可能材料の移動を実質的に２次元に制限する。結果として、そのようなパケットの浸出性能は制限される。
【０００３】
最近は、より三次元の状態を有する大量生産された浸出パケットが伸びを見せている。特に、国際公開第９５／０１９０７号（ユニリーバー）にその製造方法が記載されているような四面体形状のパケットが成功している。このタイプの浸出パケットは、浸出可能材料が移動する余地を広げることによって浸出性能を向上させると考えられている。
【０００４】
複数の浸出パケットは、通常、カートンで一緒に包装されて販売される。たとえば、ＰＧ  Ｔｉｐｓピラミッドティーバッグは、２０、４０、８０、１６０または２４０個のティーバッグを含むカートンで販売されている。３次元浸出パケットを提供することの欠点は、それらが２次元パケットよりも大きな体積を有し、結果として効率的に販売するために包装することができないことである。
【０００５】
パッキングのための平坦な形状を有する３次元浸出パケットを提供する努力がなされている。
【０００６】
欧州特許第００５３２０４号明細書（ユニリーバー）は、折り畳まれて平らな形状になることを可能にする少なくとも１つの折り目を有する概して四面体の形状を備えるティーバッグを開示している。バッグに取り付けられた引き手段は、バッグの展開を容易にする。
【０００７】
国際公開第２０１３／１７４７１０号（ユニリーバー）は、使用前には実質的に平坦であり、より三次元の形状を取るように浸出液中に浸漬すると膨らむことができるまちを含む浸出パケットを開示している。
【０００８】
欧州特許第０８４６６３２号明細書（不双産業株式会社）には、外部包装に容易に収容できるように折り畳まれ、抽出時に展開されてバッグ体の内部空間が拡大される、液体透過性の可撓性バッグ体が開示されている。
【０００９】
そのような浸出パケットの平坦化された（または展開されていない）構成は、規定された方法で３次元浸出パケットを折り畳むことによって実現される。浸出パケットが使用時に取ることが意図される３次元形状は、必然的にそれらの平坦化された構成の形状に影響を与える。さらに、そのような浸出パケットの大量生産を容易にするために、平坦化された構成は、比較的簡単な折り畳みパターンによって実現可能でなければならない。したがって、従来技術に記載されている展開可能な浸出パケットは、展開されていない構成において可能な形状の数が非常に限られている。
【００１０】
それ故に、３次元パケットに関連する浸出性能を提供し、現在のものよりも便利かつ／または効率的な方法で販売用に包装することができる浸出パケット構成を提供する余地が残っている。
【先行技術文献】
【特許文献】
【００１１】
【特許文献１】国際公開第９５／０１９０７号
【特許文献２】欧州特許第００５３２０４号明細書
【特許文献３】国際公開第２０１３／１７４７１０号
【特許文献４】欧州特許第０８４６６３２号明細書
【特許文献５】欧州特許第０８１１５６２号明細書
【特許文献６】国際公開第２０１２／０９５２４７号
【特許文献７】国際公開第２００５／０５１７９７号
【特許文献８】国際公開第９５／０１９０７号
【特許文献９】国際公開第２００４／０３３３０３号
【特許文献１０】国際公開第２００２／００４１６９
【発明の概要】
【課題を解決するための手段】
【００１２】
第１の態様では、本発明は展開可能な浸出パケットに関し、浸出パケットは、水が存在しない場合には持続的圧縮状態にあり、水の存在下で展開状態に変換される。
【００１３】
そのような浸出パケットの圧縮された性状は、それらが便利かつ効率的に包装され得ることを意味する。所与の数の浸出パケットを包装するために（例えば、本質的に同じ展開状態を有する標準浸出パケットと比較したとき）必要とされる二次包装材料がより少ないので、これは環境の観点から有利である。
【００１４】
第２の態様では、本発明は、本発明の第１の態様による複数の展開可能な浸出パケットを含むパッケージに関する。
【００１５】
第３の態様では、本発明は、本発明の第１の態様による展開可能な浸出パケットを製造する方法に関する。
【００１６】
第４の態様では、本発明は、本発明の第３の態様の方法によって得ることができる本発明の第１の態様による展開可能な浸出パケットに関する。
【００１７】
発明の詳細な説明
本発明は展開可能な浸出パケットに関し、該浸出パケットは、水が存在しない場合には持続的圧縮状態にあり、水の存在下では展開された状態に変換される。
【００１８】
本明細書で使用する「持続的圧縮状態」という用語は、不特定の期間安定した状態を維持することを意図する構成を指す。浸出パケットの構成自体は、持続的に圧縮されており、水がない場合は展開状態に変換されることはない。言い換えれば、本発明の浸出パケットは、その圧縮された構成を維持するために、包みまたは同様の二次包装に依存しない。
【００１９】
本発明の浸出パケットが持続的圧縮状態にあるとき、それらの構成材料を穏やかに引っ張ったり取り扱ったりするだけで展開することはできない。これは、平坦化された構成を実現するために折り畳まれているが、たとえ水が存在しない場合であっても、そのように扱われるとより展開された構成を容易に取る浸出パケットとは対照的である。
【００２０】
本発明の浸出パケットは、水の存在下で展開状態に変換される。温水および冷水の両方がこの変換を誘発するが、浸出パケットが展開状態を取るのにかかる時間（他のパラメータはすべて等しい）は、通常、冷水中よりも温水中の方が速い。このように、展開可能な浸出パケットは、温かい飲料および冷たい飲料の両方を調製するのに適している。
【００２１】
本発明の浸出パケットが持続的圧縮状態にあるとき、それらは取扱い時に変形せず、好ましくは実質的に剛性の構造を有する。それらが水の存在下で展開状態を取るとき、それらは変形可能となり、好ましくは可撓性構造を有する（換言すれば、それらは持続的圧縮状態において好ましくは有している剛性を失う）。
【００２２】
温水（例えば、９０−１００℃の温度）の存在下で浸出パケットが圧縮状態から展開状態に変換されるのにかかる時間は、典型的には比較的速く、通常は数秒である。したがって、展開可能な浸出パケットは、例えば茶またはハーブの浸出液など、温水で調製された飲料を抽出するのに特に適している。消費者は、できるだけ迅速かつ便利にそのような飲料を調製したいので、抽出するのにかかる全時間は通常６分を超えない。したがって、温水の存在下では、浸出パケットは、好ましくは３０秒以下、より好ましくは２０秒以下、最も好ましくは１０秒以下の時間で圧縮状態から展開状態に変換される。
【００２３】
展開可能な浸出パケットは、冷水で調製される飲料（例えば、Ｌｉｐｔｏｎ（登録商標）Ｃｏｌｄ  Ｂｒｅｗティーバッグから抽出されたアイスティー）を抽出するのにも適している。そのような飲料を抽出するのにかかる時間は、典型的には、温かい飲料よりも長く、例えば５分以上であり得る。したがって、浸出パケットの圧縮状態から展開状態への迅速な変換は、消費者の製品受け入れに関する限りさほど重要ではない。冷水（例えば、１５−２５℃の温度）の存在下では、浸出パケットは、好ましくは、２４０秒以下、より好ましくは１８０秒以下、さらに好ましくは１２０秒以下、最も好ましくは９０秒以下の時間で、圧縮状態から展開状態に変換される。
【００２４】
展開可能な浸出パケットの持続的圧縮状態から展開状態への変換は、「転げ回る」動きをもたらす。理論に縛られることを望むことなく、本発明者は、この動きが浸出パケットの浸出性能を改善すると考えている。
【００２５】
展開可能な浸出パケットは、好ましくは、飲料前駆体を含む。本明細書で使用される用語「飲料前駆体」は、飲料を調製するのに適する製造された組成物を指す。飲料前駆体は、飲料（すなわち、人間の消費に適する実質的に水性の飲用組成物）を提供するために水などの水性液体と接触させることができる。この工程を抽出と呼ぶ。抽出中、飲料前駆体は、典型的には、ある種の可溶性物質、例えば風味および／または香りの分子、を水性液体に放出する。
【００２６】
飲料前駆体は、好ましくは植物材料を含み、茶および／またはハーブ植物材料が特に好ましい。本明細書で使用される「茶植物材料」は、Ｃａｍｅｌｌｉａ  ｓｉｎｅｎｓｉｓ（すなわち、「リーフティー」）由来の乾燥葉および／または茎材料を指す。用語「ハーブ植物材料」は、ハーブ浸出物の前駆体として一般的に使用される材料を指す。好ましくは、ハーブ植物材料は、カモミール、シナモン、エルダーフラワー、ショウガ、ハイビスカス、ジャスミン、ラベンダー、レモングラス、ミント、ルイボス、ローズヒップ、バニラおよびバーベナから選択される。飲料前駆体は、追加でまたは代替的に、果物片（例えば、リンゴ、ブラックカラント、マンゴー、モモ、パイナップル、ラズベリー、イチゴなど）および／または他の風味成分（例えば、ベルガモット、柑橘類の皮、合成フレーバー顆粒など）を含んでよい。飲料前駆体は、最適な抽出のために圧力を必要とする植物材料を含まないことが好ましい。特に、飲料前駆体は、コーヒーに由来する植物材料（特に挽いたコーヒー）を含まないことが好ましい。
【００２７】
少ない量では正確に分けて供給することが困難であるため、飲料前駆体の質量は少なくとも１ｇであることが好ましい。より好ましくは、質量は少なくとも１．２ｇであり、最も好ましくは少なくとも１．４ｇである。量が多いと貯蔵および／または取り扱いが不便になるので、飲料前駆体の質量は４ｇ未満であることがさらに好ましい。より好ましくは、質量は３．５ｇ未満であり、最も好ましくは３ｇ未満である。
【００２８】
展開可能な浸出パケットは、好ましくは、持続的圧縮状態の第１の幾何学的形状と、展開状態の第２の幾何学的形状とを有する。第２の幾何学的形状は、第１の幾何学的形状を展開したものであることが可能であるが、第１および第２の幾何学的形状は異なることが好ましい。言い換えれば、浸出パケットは、好ましくは、持続的圧縮状態の特定の幾何学的形状を有し、異なる幾何学的形状を有する展開状態に変換される。
【００２９】
例えば、浸出パケットは、圧縮された状態で本質的に円盤状の円柱形状を有することができ（すなわち、第１の幾何学的形状は円柱である）、次に水の添加により、展開状態において本質的に四面体の構造を有するように変換することができる（すなわち、第２の幾何学的形状は四面体である）。
【００３０】
第１の幾何学的形状は、好ましくは長さ（Ｌ）に沿って関連付けされた第１の面および第２の面を有し、長さ（Ｌ）に沿った断面は一定であり、第１および第２の面と同じ形状である。第１の面と第２の面は互いに平行であることが好ましい。
【００３１】
第１の幾何学的形状は円柱または角柱であることが好ましい。
【００３２】
第１の幾何学的形状が円柱である場合、第１の面および第２の面は円形または楕円形であり、長さ（Ｌ）に沿って曲面によって関連付けられる。
【００３３】
第１の幾何学的形状が角柱である場合、第１の面および第２の面は多角形であり、複数の接続端部によって互いに区切られた複数の接続面によって、長さ（Ｌ）に沿って関連付けられる。接続面は、正方形または長方形であることが好ましい（すなわち、角柱は直角柱であることが好ましい）。それにもかかわらず、さほど好ましくない構成では、接続面は平行四辺形であり得る（すなわち、角柱は斜角柱であり得る）ことが理解される。
【００３４】
第１および第２の面は、任意の単純な多角形（すなわち、多角形の境界がそれ自体と交差しない形状）を有することができる。そのような多角形の形状は凹状または凸状であり得る。好ましい多角形形状の非限定的な例としては、三角形、四辺形、五角形、六角形、七角形、八角形、九角形、十角形などがある。
【００３５】
持続的圧縮状態にある浸出パケットの幾何学的形状および寸法は、そのような複数のパケットをいかに効率的にパッケージングできるかを決定する。
【００３６】
第１の幾何学的形状は、好ましくは幅（Ｗ）を有し、幅（Ｗ）は長さ（Ｌ）以上である。
【００３７】
幅（Ｗ）は、長さ（Ｌ）に垂直な平面内の第１または第２面の最も広い寸法である。例えば、円形の断面を有する円柱の場合、幅（Ｗ）は円形断面の直径であり、楕円形断面を有する円柱の場合、幅（Ｗ）は、楕円形の断面の長軸である。同様に、正方形の断面を有する角柱の場合、幅（Ｗ）は、正方形の断面の対角線を表す。
【００３８】
持続的圧縮状態における円柱形または角柱形の浸出パケットの長さ（Ｌ）は、好ましくは２ｍｍを超え、より好ましくは３ｍｍを超え、最も好ましくは４ｍｍを超える。長さ（Ｌ）は、好ましくは２０ｍｍ以下、より好ましくは１８ｍｍ以下、最も好ましくは１６ｍｍ以下である。
【００３９】
持続的圧縮状態における円柱形または角柱形の浸出パケットの幅（Ｗ）は、好ましくは１４ｍｍを超え、より好ましくは１７ｍｍを超え、最も好ましくは２０ｍｍを超える。幅（Ｗ）は、好ましくは４５ｍｍ以下、より好ましくは４０ｍｍ以下、最も好ましくは３５ｍｍ以下である。
【００４０】
展開可能な浸出パケットは、好ましくは、展開状態の第２の幾何学的形状を有する。上記のように、この第２の幾何学的形状は、第１の幾何学的形状とは異なる形状であることが好ましい。
【００４１】
第２の幾何学的形状が本質的に平坦である実施形態（例えば、多孔性材料の正方形または円形のシートの間に挟まれた浸出可能材料を含む浸出パケット）は除外されない。しかしながら、この種の浸出パケットは、浸出可能材料の移動を実質的に２次元に制限し、それによってそれらの浸出性能を制限すると考えられるので、そのような実施形態はさほど好ましくない。さらに、複数のこの種の浸出パケットを包装することは、それらが本質的に平坦な性状を有することに起因して、既に比較的効率的である。
【００４２】
したがって、第２の幾何学的形状は３次元形状であることが好ましい。第２の幾何学的形状は特に限定されず、任意の３次元形状であってよい。しかしながら、第２の幾何学的形状を有する浸出パケットは、容易に大量生産できることが望ましい。したがって、第２の幾何学的形状の好ましい例には、四面体、ピラミッド、半球、球、立方体などの形状がある。第２の幾何学的形状は、球、半球、四面体またはピラミッドであることが特に好ましい。
【００４３】
本発明は、従来の浸出パケットを圧縮して、浸出パケットが持続的圧縮状態になるような構成を実現することを想定している。従来の浸出パケットの非限定的な例には、欧州特許第０８１１５６２号明細書（ユニリーバー）、国際公開第２０１２／０９５２４７号（ユニリーバー）または国際公開第２００５／０５１７９７号（Ｔｅｔｌｅｙ）に記載されているような球形状または半球形状の浸出パケット、および国際公開第９５／０１９０７号（ユニリーバー）、国際公開第２００４／０３３３０３号（Ｉ．Ｍ．Ａ．ＳＰＡ）または国際公開第２００２／００４１６９（ユニリーバー）に記載されているような四面体形状の浸出パケットがある。
【００４４】
展開可能な浸出パケットは、好ましくは、その持続的圧縮状態の第１の幾何学的形状と、その展開状態の第２の幾何学的形状とを有する。第２の幾何学的形状は、第１の幾何学的形状を展開したものであることが可能であるが、第１および第２の幾何学的形状は異なることが好ましい。言い換えると、浸出パケットは、好ましくは、持続的圧縮状態の特定の幾何学的形状を有し、異なる幾何学形状を有する展開状態に変換される。
【００４５】
展開可能浸出パケットは、持続的圧縮状態での体積ＶＣと、展開状態でのボリュームＶＥとを有する。浸出性能に影響を与えることなく、各圧縮浸出パケットが占有する包装空間の大幅な減少を実現するために、体積の大幅な増加は、水の添加時に浸出パケットがその持続的圧縮状態から展開状態に変換するときに生じる。例として、ＶＥは、好ましくは少なくとも２ＶＣ、より好ましくは少なくとも２．５ＶＣ、最も好ましくは少なくとも３ＶＣである。展開可能な浸出パケットは、水の添加時に、その持続的圧縮状態からその展開状態に効率的に変換することができる。例として、ＶＥは、好ましくは１０ＶＣ以下、より好ましくは８ＶＣ以下、最も好ましくは６ＶＣ以下である。
【００４６】
本発明の展開可能な浸出パケットは、任意の適切な材料から作製することができる。不織布材料は、これらの材料が典型的には繊維中に比較的小さな「記憶」を有し、したがって水の添加時に圧縮状態から展開状態に容易に変換されるので特に好ましい。不織布材料の非限定的な例には、連続フィラメント（例えばＰＥＴ、ＰＬＡ、ＰＰ）および湿式不織布材料（例えば、セルロースとＰＰ、ＰＥまたはＰＬＡなどのポリマーとを含むセルロース／ポリマーブレンド）で作製された不織布材料がある。
【００４７】
第２の態様では、本発明は、本発明の第１の態様による複数の展開可能な浸出パケットを含むパッケージに関する。
【００４８】
上述したように、持続的圧縮状態にある展開可能な浸出パケットの幾何学的形状は、そのような複数のパケットをいかに効率的に包装できるかを決定する。それにもかかわらず、本発明の浸出パケットは、選択された特定の幾何学的形状にかかわらず、それらの展開状態よりも圧縮状態においてより少ない収容空間を必要とする。
【００４９】
パッケージの構成は限定されない。コスト上の理由から、選択されたパッケージは製造が過度に複雑でないことが好ましい。簡略化の観点から、パッケージはチューブまたはカートンであることが好ましい。このようなパッケージングソリューションのさらなる利点は、包装された製品が、消費者の家庭において少量の収容空間しか必要としないことである。実際に、二次包装は、浸出パケットが消費者によって便利に運ばれ、または職場で保たれるように十分に小型であることが好ましい。
【００５０】
このようなチューブ状パッケージの例としては、適切な形状の断面を有する厚紙、プラスチック、または金属チューブがある。例えば、展開可能な浸出パケットが圧縮形態において三角形の断面を有する場合、三角形の断面を有する中空のチューブは、複数のそのような浸出パケットを効率的に包装することができる。チューブ状パッケージは、圧縮された浸出パケットの周りに形成され得ることも想定される。例えば、複数の圧縮浸出パケットを積み重ねて配置し、積層された浸出パケットの周りに周方向に巻き付けられた可撓性包装材料（例えば、紙またはプラスチック）のシートによって筒状に包装し、シートの端部が出会うところ（すなわち、シールが圧縮された浸出パケットの長さ（Ｌ）に本質的に平行であるような長手方向）で密封することができる。
【００５１】
好ましい一実施形態では、パッケージはチューブであり、第１の幾何学的形状は円柱である（すなわち、展開可能な浸出パケットは、持続的圧縮状態で本質的にディスク形状の円柱形状を有する）。
【００５２】
チューブは、展開可能な浸出パケットと同じ断面を有する必要はない。したがって、パッケージがチューブであり、第１の幾何学的形状が円柱である実施形態では、チューブは円形または楕円形の断面を有することができ、したがって第１の幾何学的形状の断面に適合する。
【００５３】
あるいは、チューブは、第１の幾何学的形状の断面と適合しない断面を有してもよい。このような実施形態では、浸出パケットとチューブとの間の空間は、（消費者が浸出パケットの曲面を容易に把持できるようにすることにより）カートンからの浸出パケットの取り出しを容易にすると考えられる。正方形または長方形の断面を有するチューブが特に好ましい。このようなカートンは容易に製造されるためである。
【００５４】
他の形状の浸出パケットでも同様の効果を実現できることは理解される。例えば、第１の幾何学的形状が六角形の角柱である展開可能な浸出パケットは、正方形の断面を有するチューブなどの中に包装されることができる。
【００５５】
上述のように、二次包装はカートンとすることができる。上述のチューブ状の構成は、圧縮浸出パケットの積層体のためのパッケージングソリューションに関する。対照的に、カートンは、圧縮浸出パケットの層または列を包装するための解決策を提供する（各層または列は、２つ以上の圧縮浸出パケットを含む）。このような浸出パケットの第１の幾何学的形状にかかわらず、このように圧縮浸出パケットを包装することが可能である。最大の包装効率のためには、第１の幾何学的形状が互いにぴったりつくことが好ましい。それにもかかわらず、これは不可欠な要件ではなく、互いにぴったりついていない形状もまた、従来の非圧縮浸出パケットよりも効率的に包装される。さらに、互いにぴったりついていない形状を有する圧縮浸出パケットの列間の空間は、消費者によるカートンからの個々の浸出パケットの便利な取り出しを容易にすることができる。
【００５６】
好ましい実施形態では、パッケージはカートンであり、第１の幾何学的形状は正方形または長方形の角柱である（すなわち、展開可能な浸出パケットは、持続的圧縮状態で正方形または長方形の断面を有する角柱形状を有する）。
【００５７】
さらに好ましい実施形態では、パッケージはカートンであり、第１の幾何学的形状は円柱である（すなわち、展開可能な浸出パケットは、持続的圧縮状態において、本質的にディスク形状であり、円柱形状を有する）。正方形または長方形の断面を有するカートンが特に好ましい。このようなカートンは容易に製造されるためである。浸出パケットの列とカートンとの間の空間は、（消費者が浸出パケットの曲面を容易に把持できるようにすることにより）カートンからの浸出パケットの取り出しを容易にすると考えられる。
【００５８】
第３の態様では、本発明は、本発明の第１の態様による展開可能な浸出パケットを製造する方法に関する。
【００５９】
特に、本発明は、以下のステップを含む方法に関する：
（ａ）展開状態の浸出パケットを提供するステップ、
（ｂ）浸出パケットをダイ内に挿入するステップ、
（ｃ）浸出パケットを持続的圧縮状態に変換するように加圧するステップ。
【００６０】
既に論じたように、本発明は、浸出パケットが持続的圧縮状態にある構成を実現するように従来の浸出パケットを圧縮することを想定している。したがって、ステップ（ａ）において提供される浸出パケットは、好ましくは、従来の浸出パケットであり、任意の既知の方法によって製造することができる。四面体形状の浸出パケットが特に好ましい。
【００６１】
ステップ（ａ）で提供された浸出パケットは、ダイ内に挿入される。ダイは金属製であることが好ましく、例えば、鋼製であることが好都合である。
【００６２】
ステップ（ｃ）で与えられる圧力は、好ましくは３０００−４２００ｋＰａ、より好ましくは３１００−４１００ｋＰａである。適切な圧力に影響を及ぼす要因には、浸出パケットが作られる材料のタイプと、浸出パケットのサイズ／重量とが含まれる。ステップ（ｃ）で加えられる圧力は、より大きい程度の圧縮が望まれる場合は典型的に高く、より小さい程度の圧縮が望ましい場合は低くなる。
【００６３】
圧力は、好ましくは、ダイに嵌合するピストンを介して加えられる。ピストンは金属製であることが好ましく、例えばアルミニウム製であることが好都合である。ダイおよびピストンは、好ましくは異なる金属で作られる。
【００６４】
浸出パケット内部に含まれる浸出可能材料の量は所与の体積を有することが理解される（例えば、浸出可能材料３ｇで占められる体積は浸出可能材料２ｇで占められる体積よりも大きい）。原則として、浸出パケット内部に含まれる浸出可能材料が多いほど、その浸出可能材料が占める体積は大きくなる。このように、より多量の浸出可能材料を含む浸出パケットは、典型的には、より少量の浸出可能材料を含む浸出パケットよりも少ない程度に圧縮される。
【００６５】
さらなる態様では、本発明は、本発明の第１の態様による展開可能な浸出パケットに関し、展開可能な浸出パケットは、本発明の第３の態様の方法によって得ることができる。換言すれば、浸出パケットは、水が存在しない場合には持続的圧縮状態にあり、水の存在下では展開状態に変換され、展開可能な浸出パケットは、以下のステップを含む方法によって得ることができる：（ａ）展開状態の浸出パケットを提供するステップと、（ｂ）浸出パケットをダイ内に挿入するステップと、（ｃ）浸出パケットを持続的圧縮状態に変換するように加圧するステップ。
【００６６】
一例として、本発明は以下の図を参照して説明される。
【図面の簡単な説明】
【００６７】
【図１ａ】持続的圧縮状態にある展開可能な浸出パケットの斜視図である。
【図１ｂ】展開状態にある図１ａの展開可能な浸出パケットの斜視図である。
【図２ａ】抽出の準備ができた容器内に配置された本発明による圧縮浸出パケットの斜視図である。
【図２ｂ】飲料を調製するために水が容器に加えられた後の図２ａの浸出パケットの図である。
【図３ａ】複数の圧縮浸出パケットの配置を示す斜視図である。
【図３ｂ】複数の圧縮浸出パケットを含むパッケージの一実施形態を示す斜視図である。
【図３ｃ】複数の圧縮浸出パケットを含むパッケージの代替実施形態を示す斜視図である。
【図４ａ】本発明による展開可能な浸出バッグの持続的圧縮状態の可能な形状を示す斜視図を示す。
【図４ｂ】本発明による展開可能な浸出バッグの持続的圧縮状態の可能な形状を示す斜視図を示す。
【図４ｃ】本発明による展開可能な浸出バッグの持続的圧縮状態の可能な形状を示す斜視図を示す。
【図４ｄ】本発明による展開可能な浸出バッグの持続的圧縮状態の可能な形状を示す斜視図を示す。
【図５ａ】半球状の展開状態を有する浸出パケットの斜視図である。
【図５ｂ】立方体の展開状態を有する浸出パケットの斜視図である。
【図６】複数の圧縮浸出パケットを含むカートンを示す斜視図である。
【図７ａ】複数の圧縮浸出パケットの様々な構成を示す。
【図７ｂ】複数の圧縮浸出パケットの様々な構成を示す。
【図８】複数の圧縮浸出パケットを含むカートンを示す斜視図である。
【発明を実施するための形態】
【００６８】
図１ａは、持続的圧縮状態にある本発明による展開可能な浸出パケットを示す。圧縮された浸出パケット（１）は円柱形であり、円形の断面を有する。この構成では、浸出パケットは、曲面（４）によって長さ（Ｌ）に沿って関連付けられた円形の第１の面（２）および円形の第２の面（第１の面の反対側であり、したがって図１ａでは見えない）を有する。長さ（Ｌ）に沿った断面は一定であり、第１および第２の面と同じ形状である（すなわち円形）。図示の実施形態では、幅（Ｗ）は円形断面の直径である。
【００６９】
図１ｂは、その展開状態の図１ａの浸出パケットを示す。展開された浸出パケット（５）は、三次元の四面体形状を取っている。このように、浸出パケットは、その展開状態において、その圧縮状態で有する形態とは異なる形態を有する。３次元展開状態は、浸出可能材料（６）が浸出パケット（５）内部を移動する余地を与えることを可能にし、これは浸出性能を改善すると考えられる。
【００７０】
図２は、本発明による展開可能な浸出パケットの持続的圧縮状態から展開状態への変換を示す。この変換は、消費者が従来の浸出パケットから浸出物を調製するために典型的に用いる条件の下で生じる。
【００７１】
図２ａは、抽出開始前の浸出パケットを示す。圧縮浸出パケット（１）は、ある量の温水を受けるのに適した容器（７）（この場合はマグカップ）内に配置されている。圧縮された浸出パケットから飲料を調製するために、消費者は容器に温水を加える。浸出パケットは、水（８）の存在下で展開状態に変換される。従来の浸出パケットから飲料を調製するために消費者が使用する水の体積は様々であり、形態によって一定ではない。例として、好ましくは、浸出パケットをその持続的圧縮状態からその展開状態に変換させる水の体積はそれほど大きくはないが、この体積が典型的にはＶＥよりも大きいことは理解されるだろう（１００ｍｌの水は、通常十分な量である）。図２ｂは、抽出中の浸出パケットを示す。浸出パケットは、その展開状態（５）にあり、三次元四面体形状を取っている。
【００７２】
図３に示すように、本発明の圧縮浸出パケットは、便利に包装することができる。
【００７３】
図３ａは、互いに積み重ねられた複数の圧縮浸出パケット（１）を示している。浸出パケットは圧縮状態で規則的な形状を有するので、この配置は一定の断面（この場合、円形の断面）を有する構成をもたらす。
【００７４】
図３ｂは、複数の圧縮浸出パケット（１）を包装する可能な方法を示す。展開可能な浸出パケットの積層体は、二次包装（９）によって一緒に保持される。図３ｂにおいて、この二次包装（９）はチューブ状であり、周方向に浸出パケットの周りに延在し、端部が出会うところで密封される（例えば、紙またはプラスチックで形成された）シートの形態を取る。
【００７５】
図３ｃは、複数の圧縮浸出パケット（１）を包装する別の方法を示す。図３ｃにおいて、二次包装（９）は正方形の断面を有する厚紙のチューブである。このカートンは正方形の角柱の形態である。圧縮された浸出パケットはカートンの全容積を満たしていないが、パッケージング効率は依然として改善されている（すなわち、展開された構成を有する従来の浸出パケットを同等の数収容するように設計されたカートンは、かなり大きな体積を有するだろう）。
【００７６】
図示されていないが、さらに多くの二次包装構成（例えば、厚紙またはプラスチックのチューブなど）が可能であることは理解される。
【００７７】
その持続的圧縮状態にある展開可能な浸出パケットの形状は、角柱状であってよい。図４は、可能な角柱形状を示す。
【００７８】
図４ａでは、圧縮された浸出パケットは、三角柱の形態を有する。この構成では、浸出パケットの第１および第２の面は三角形であり、３つの接合端部（１２）によって互いに区切られた３つの長方形接続面（１１）によって長さ（Ｌ）に沿って関連付けられる。この実施形態では、幅（Ｗ）は、三角形断面の２つの隣接する頂点間の距離である。
【００７９】
図４ｂにおいて、圧縮された浸出パケットは正方形の角柱である。この構成では、浸出パケットの第１および第２の面は正方形であり、４つの接続端部（１２）によって互いに区切られた４つの長方形接続面（１１）によって長さ（Ｌ）に沿って関連付けられる。この実施形態では、幅（Ｗ）は正方形の断面の対角線である。
【００８０】
図４ｃおよび図４ｄは、圧縮された浸出パケットの２つの可能な六角柱の構成を示す。両方の場合において、浸出パケットの第１および第２の面は六角形であり、６つの接続端部（１２）によって互いに区切られた６つの長方形接続面（１１）によって長さ（Ｌ）に沿って関連付けられる。図４ｃの圧縮浸出パケットは、凸状の六角形の断面を有し、一方、図４ｄの圧縮浸出パケットは、Ｌ字形の凹状の六角形の断面を有する。
【００８１】
展開状態にある展開可能な浸出パケットの形状は限定されず、任意の幾何学的形状であってよい。図５は、いくつかの可能な構成を示す。
【００８２】
図５ａでは、展開された浸出パケット（５）は３次元の半球形状を有し、図５ｂでは、展開された形態において立方体形状を有する。
【００８３】
圧縮状態の展開可能な浸出パケットの形状とその展開された形状との間に特定の繋がりがないことは理解される。特に、図１ｂ、５ａおよび５ｂに示される展開された形状の何れか１つを有する浸出パケットは、図１ａ、４ａ、４ｂ、４ｃおよび４ｄに示される構成の何れか１つを有するように圧縮され得る。
【００８４】
その圧縮状態の浸出パケットの形状は、消費者が適切な製品を識別するのを助けるコードとして使用することができる。例えば、ある種の製品（例えば、緑茶、紅茶、果物およびハーブの浸出物など）は、特定の製造業者によって販売されることが多い。従来、この種の各製品は、同じ形状の浸出パケット（例えば、四面体）を使用する。各タイプの製品は別個のパッケージ（例えば、一定数の浸出パケットを含むカートン）で販売され、パッケージ上に提供される情報は特定の製品タイプを識別する。本発明は、この種の各製品が、持続的圧縮状態で様々な形状を有することを可能にする（なお、展開した状態では共通の形状を維持する）。例えば、紅茶を含む浸出パケットは円柱の形態を有することができ、一方、緑茶を含むものは六角柱の形態を有することができ、以下同様である。このように、圧縮された浸出パケットが販売されたパッケージから取り出されたとしても、消費者はこの種の各製品を視覚的に識別することができる。
【００８５】
図６は、複数の圧縮浸出パケットを包装する可能な方法を示す。この図では、段ボールカートン（１５）内部に複数の圧縮浸出パケット（１）が配置されている。浸出パケット（１）の正方形の断面は、それらがぴったりつくことを意味し、その結果カートン内の内部空間を非常に効率的に使用する。
【００８６】
図７は、複数の圧縮浸出パケットの異なる構成を示す。図７ａは、一方が他方の上に積み重ねられた六角形の断面を有する複数の圧縮浸出パケット（１）を示す。圧縮状態のこれらの浸出パケットの規則的な形状は、浸出パケットの積層体が一定の断面を有することを意味する。展開可能な浸出パケットの積層体は、この配置を維持するように（例えば、図３ｂに示したものと同様の方法で）包装することができる。
【００８７】
図７ｂは、六角形の断面を有する圧縮浸出パケット（１）の別の配置を示す。この配置では、圧縮された浸出パケットは単一の層に配置される。浸出パケット（１）の正六角形の断面は、それらがぴったりつくことを意味する。展開可能な浸出パケットの層は、この配置を維持するように（例えば、それらを段ボールカートン内に包装することによって）包装することができる。
【００８８】
図８は、複数の圧縮浸出パケットを包装する可能な方法を示す。この図では、段ボールカートン（１５）内部に複数の圧縮浸出パケット（１）が配置されている。浸出パケット（１）の円形断面は、それらがぴったりつかないことを意味する。それにもかかわらず、圧縮された浸出パケットは、依然として非常に効率的にパッケージングされており、一方で、圧縮された浸出パケットの周りの小さな空間により、消費者は曲面を掴むことによって個々の浸出パケットを容易に取り出すことができる。
【００８９】
図示されていないが、最終的な包装の配置は圧縮された浸出パケットの複数の層を含むことができることが理解される。実際に、浸出パケットの各層は、圧縮された構成で異なる形状を有することも想定される。例えば、第１の層は、六角形の断面を有する浸出パケットからなり、第２の層は、正方形の断面を有する浸出パケットからなることができる。
【００９０】
実施例
市販のＰＧチップピラミッドティーバッグ（バッグ重量約２．９ｇ）を準備した。展開された状態のこのティーバッグの形状は、本質的に四面体（辺の長さ約６５ｍｍ）であった。展開状態（ＶＥ）におけるティーバッグの体積は約３２３６５ｍｍ３であった。
【００９１】
ティーバッグを中空円柱の形状を有する鋼ダイに挿入し、シリンダーダイ内を摺動するアルミニウムピストンを介して５００ｐｓｉ（約３４４７ｋＰａ）の圧力を適用することにより、ティーバッグを圧縮して持続的圧縮状態に変換した。持続的圧縮状態のこのティーバッグの形状は、本質的に円柱（円形の断面を有する）であった。ティーバッグの圧縮円柱形状の幅（Ｗ）は約３４ｍｍであり、長さ（Ｌ）は約７．５ｍｍであった。持続的圧縮状態のティーバッグの体積（ＶＣ）は約６８０９ｍｍ３であった。
【００９２】
持続的に圧縮されたティーバッグを空のカップに入れ、２００ｍｌの温水を加えた。ティーバッグは数秒で展開形態に変換された。さらに、この変換は、ティーバッグを「転げ回る」ようにさせた。この動きは、ティーバッグ内部に含まれる茶葉の迅速な抽出を容易にし、ティーバッグをかき混ぜたりまたは撹拌したりする必要がない。
【００９３】
比較のために、非圧縮の市販のＰＧチップピラミッドティーバッグ（バッグ重量約２．９ｇ）を空のカップに入れ、２００ｍｌの温水を加えた。水の添加は、ティーバッグの一時的な平坦化を引き起こした。さらに、一旦水の添加が完了すると、ティーバッグは浮かんだが、それは「転げ回る」ことはなく、抽出中は本質的に静止していた。動きの欠如は、ティーバッグ内に含まれる茶葉が迅速に抽出されなかったことを意味した。
【符号の説明】
【００９４】
１  圧縮された浸出パケット
２  第１の面
４  曲面
５  展開された浸出パケット
６  浸出可能材料
７  容器
８  水
９  二次包装
１１  接続面
１２  接続端部
１５  カートン
【図１ａ】
2019504803.tif 000003
【図１ｂ】
2019504803.tif 000004
【図２ａ】
2019504803.tif 000005
【図２ｂ】
2019504803.tif 000006
【図３ａ】
2019504803.tif 000007
【図３ｂ】
2019504803.tif 000008
【図３ｃ】
2019504803.tif 000009
【図４ａ】
2019504803.tif 000010
【図４ｂ】
2019504803.tif 000011
【図４ｃ】
2019504803.tif 000012
【図４ｄ】
2019504803.tif 000013
【図５ａ】
2019504803.tif 000014
【図５ｂ】
2019504803.tif 000015
【図６】
2019504803.tif 000016
【図７ａ】
2019504803.tif 000017
【図７ｂ】
2019504803.tif 000018
【図８】
2019504803.tif 000019
【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
浸出パケットが、水が存在しない場合には持続的圧縮状態にあり、水の存在下で展開状態に変換され、持続的圧縮状態において浸出パケットが実質的に剛性の構造を有する、展開可能な浸出パケット。
【請求項２】
浸出パケットが、持続的圧縮状態において体積ＶＣを有し、展開状態において体積ＶＥを有し、ＶＥが２ＶＣから１０ＶＣである、請求項１に記載の展開可能な浸出パケット。
【請求項３】
浸出パケットが、その持続的圧縮状態において第１の幾何学的形状を有し、その展開状態において第２の幾何学的形状を有し、第１および第２の幾何学的形状が異なる、請求項１または２に記載の展開可能な浸出パケット。
【請求項４】
第１の幾何学的形状が円柱である、請求項３に記載の展開可能な浸出パケット。
【請求項５】
第１の幾何学的形状が角柱である、請求項３に記載の展開可能な浸出パケット。
【請求項６】
第２の幾何学的形状が、球、半球、四面体またはピラミッドである、請求項３から５の何れか一項に記載の展開可能な浸出パケット。
【請求項７】
浸出パケットが、不織布材料から作られている、請求項１から６の何れか一項に記載の展開可能な浸出パケット。
【請求項８】
請求項１から７の何れか一項に記載の展開可能な浸出パケットを複数含むパッケージ。
【請求項９】
チューブまたはカートンである、請求項８に記載のパッケージ。
【請求項１０】
パッケージがチューブであり、第１の幾何学的形状が円柱である、請求項９に記載のパッケージ。
【請求項１１】
パッケージがカートンであり、第１の幾何学的形状が正方形または長方形の角柱である、請求項９に記載のパッケージ。
【請求項１２】
パッケージがカートンであり、第１の幾何学的形状が円柱である、請求項９に記載のパッケージ。
【請求項１３】
（ａ）展開状態の浸出パケットを提供するステップ、
（ｂ）浸出パケットをダイ内に挿入するステップ、
（ｃ）浸出パケットを持続的圧縮状態に変換するように加圧するステップ、を含み、持続的圧縮状態において浸出パケットが実質的に剛性の構造を有する、請求項１から７の何れか一項に記載の展開可能な浸出パケットの製造方法。
【請求項１４】
ステップ（ｃ）において与えられる圧力が、３０００から４２００ｋＰａである、請求項１３に記載の方法。
【国際調査報告】
2019504803.tif 000020
2019504803.tif 000021